(57)【要約】【課題】  特定区域への通過の可否を決定する通過許可装置を通過する際に、特定区域に関する地域情報を取得する地域情報配信システムを提供する。【解決手段】  移動体通信端末（Ａ１〜Ａｎ）が、特定区域への通過を通過許可装置（Ｂ１〜Ｂｎ）に容認させるための通過許可情報と共に、特定区域に関する地域情報を通過許可装置（Ｂ１〜Ｂｎ）から取得するための取得要求を通過許可装置（Ｂ１〜Ｂｎ）に近距離無線通信にて送信し、通過許可装置（Ｂ１〜Ｂｎ）が、近距離無線通信にて移動体通信端末（Ａ１〜Ａｎ）から受信した通過許可情報を基に通過を容認すると共に、移動体通信端末（Ａ１〜Ａｎ）から近距離無線通信にて受信した取得要求を基に、通過許可装置（Ｂ１〜Ｂｎ）と接続されたデータベースサーバ装置（Ｃ１〜Ｃｎ）が管理する地域情報を取得し、その取得した地域情報を移動体通信端末（Ａ１〜Ａｎ）に近距離無線通信にて送信する。【選択図】  図１
2005039678.tif 000002
【特許請求の範囲】
【請求項１】
特定区域への通過の可否を決定する通過許可装置との間で近距離無線通信を行う移動体通信端末装置であって、
前記特定区域への通過を前記通過許可装置に容認させるための通過許可情報と共に、前記特定区域に関する地域情報の取得要求を前記通過許可装置に近距離無線通信にて送信する地域情報取得要求手段と、
前記地域情報取得要求手段により前記取得要求を送信した前記通過許可装置から前記地域情報を近距離無線通信にて受信する地域情報受信手段と、
を有することを特徴とする移動体通信端末装置。
【請求項２】
前記地域情報取得要求手段による前記取得要求の送信と、前記地域情報受信手段による前記地域情報の受信と、を一度の近距離無線通信にて行うことを特徴とする請求項１記載の移動体通信端末装置。
【請求項３】
前記地域情報取得要求手段による前記取得要求の送信と、前記地域情報受信手段による前記地域情報の受信と、を各々一度の近距離無線通信にて行うことを特徴とする請求項１記載の移動体通信端末装置。
【請求項４】
特定区域への通過の可否を決定する通過許可装置と、前記通過許可装置と接続され前記特定区域に関する地域情報を管理するデータベースサーバ装置と、前記通過許可装置と近距離無線通信を行う移動体通信端末装置と、を有する地域情報配信システムであって、
前記移動体通信端末装置は、
前記特定区域への通過を前記通過許可装置に容認させるための通過許可情報と共に、前記特定区域に関する地域情報の取得要求を前記通過許可装置に近距離無線通信にて送信する地域情報取得要求手段と、
前記地域情報取得要求手段により前記取得要求を送信した前記通過許可装置から前記地域情報を近距離無線通信にて受信する地域情報受信手段と、
を有し、
前記通過許可装置は、
前記移動体通信端末装置から近距離無線通信にて受信した通過許可情報を基に通過の許可を容認すると共に、前記移動体通信端末装置から近距離無線通信にて受信した地域情報の取得要求を、前記通過許可装置と接続されたデータベースサーバ装置に送信し、前記データベースサーバ装置にて管理する地域情報を取得し、該取得した地域情報を前記移動体通信端末装置に近距離無線通信にて送信する地域情報中継手段を有し、
前記データベースサーバ装置は、
前記通過許可装置からの地域情報の取得要求を受信し、該受信した地域情報の取得要求に応じた地域情報を前記通過許可装置に提供する地域情報提供手段を有することを特徴とする地域情報配信システム。
【請求項５】
前記地域情報取得要求手段は、
前記データベースサーバ装置の管理する地域情報を前記通過許可装置に提供するか否かを判定する際に必需となる認証情報を、前記地域情報の取得要求と共に近距離無線通信にて前記通過許可装置に送信し、
前記地域情報中継手段は、
前記地域情報取得要求手段により、前記移動体通信端末装置から近距離無線通信にて受信した前記地域情報の取得要求と前記認証情報とを前記データベースサーバ装置に送信し、
前記地域情報提供手段は、
前記地域情報中継手段により、前記通過許可装置から前記地域情報の取得要求と共に送信される前記認証情報が、前記データベースサーバ装置の管理する認証情報に該当すると判定した場合に、前記データベースサーバ装置の管理する地域情報を前記通過許可装置に提供することを特徴とする請求項４記載の地域情報配信システム。
【請求項６】
前記データベースサーバ装置の管理する地域情報と認証情報との少なくとも一つの情報を更新する情報更新手段と、
前記移動体通信端末装置に認証情報を送信する認証情報送信手段と、を有する地域情報提供サーバを更に有して構成された地域情報配信システムであって、
前記移動体通信端末装置は、
前記地域情報提供サーバから認証情報を取得するための登録情報を前記地域情報提供サーバに登録し、該登録した地域情報提供サーバから認証情報を受信する認証情報取得手段を更に有し、
前記データベースサーバ装置は、
前記地域情報提供サーバから送信される地域情報と認証情報との少なくとも一つの情報に対応する情報を更新する管理情報更新手段を更に有することを特徴とする請求項５記載の地域情報配信システム。
【請求項７】
前記通過許可装置は、
前記移動体通信端末装置から近距離無線通信にて受信した通過許可情報を基に通過の許可を容認した、通過区間に応じた通過ポイントを算出し、該算出した通過ポイントを、前記移動体通信端末装置から近距離無線通信にて受信した認証情報と共に前記データベースサーバ装置に送信する通過ポイント算出手段を更に有し、
前記データベースサーバ装置は、
前記通過ポイント算出手段により、前記通過許可装置から受信した通過ポイントを、前記通過許可装置から受信した認証情報と共に蓄積管理し、外部の通信端末装置から認証情報を受信した際に、該受信した認証情報に該当する通過ポイントを前記通信端末装置に送信する通過ポイント管理手段を更に有することを特徴とする請求項５または６記載の地域情報配信システム。
【請求項８】
前記移動体通信端末装置は、
前記地域情報提供サーバにアクセスするための接続情報を、前記自動改札装置から近距離無線通信にて取得する接続情報取得手段を更に有し、
前記接続情報取得手段により取得した接続情報を基に、前記地域情報提供サーバにアクセスし、前記登録情報を前記地域情報提供サーバに登録することを特徴とする請求項６記載の地域情報配信システム。
【請求項９】
前記移動体通信端末装置は、
前記特定区域への通過を前記通過許可装置に容認させるための通過許可情報と共に、前記データベースサーバ装置が管理する地域情報を前記通過許可装置に提供するか否かを判定する際に必需となる認証情報を前記通過許可装置に近距離無線通信にて送信する地域情報取得事前要求手段を更に有し、
前記通過許可装置は、
前記地域情報取得事前要求手段により、前記移動体通信端末装置から近距離無線通信により受信した通過許可情報を用いて通過の許可を容認すると共に、前記移動体通信端末装置から近距離無線通信にて受信した前記認証情報を、前記通過許可装置と接続されたデータベースサーバ装置に対して送信する地域情報取得事前認証情報送信手段を更に有し、
前記データベースサーバ装置は、
前記地域情報取得事前認証情報送信手段により前記通過許可装置から送信された前記認証情報が、前記データベースサーバ装置の管理する認証情報に該当すると判定した場合に、前記通過許可装置から送信された前記認証情報に該当する認証情報を取り出し、該取り出した認証情報を前記データベースサーバ装置の具備するメモリに一時的に登録して管理する地域情報取得事前認証情報管理手段を更に有し、
前記通過許可装置から地域情報の取得要求と共に送信される前記認証情報が、前記データベースサーバ装置の具備するメモリで一時的に管理する認証情報に該当すると判定した場合に、前記データベースサーバ装置の管理する地域情報を前記通過許可装置に提供することを特徴とする請求項５から７の何れか１項に記載の地域情報配信システム。
【請求項１０】
前記通過ポイント算出手段は、
前記通過ポイントを前記認証情報と共に一時的に蓄積させ、該蓄積させた通過ポイントを前記認証情報と共に、前記データベースサーバ装置に定期的に送信する通過ポイント蓄積手段を有することを特徴とする請求項７記載の地域情報配信システム。
【請求項１１】
前記地域情報取得要求手段による前記取得要求の送信と、前記地域情報受信手段による前記地域情報の受信と、を一度の近距離無線通信にて行うことを特徴とする請求項４記載の地域情報配信システム。
【請求項１２】
前記地域情報取得要求手段による前記取得要求の送信と、前記地域情報受信手段による前記地域情報の受信と、を各々一度の近距離無線通信にて行うことを特徴とする請求項４記載の地域情報配信システム。
【請求項１３】
特定区域への通過の可否を決定する通過許可装置と、前記通過許可装置と接続され前記特定区域に関する地域情報を管理するデータベースサーバ装置と、前記通過許可装置と近距離無線通信を行う移動体通信端末装置と、を用いて行う地域情報配信方法であって、
前記移動体通信端末装置が、前記特定区域への通過を前記通過許可装置に容認させるための通過許可情報と共に、前記特定区域に関する地域情報の取得要求を前記通過許可装置に近距離無線通信にて送信する地域情報取得要求工程と、
前記通過許可装置が、前記移動体通信端末装置から近距離無線通信にて受信した通過許可情報を基に通過の許可を容認すると共に、前記移動体通信端末装置から近距離無線通信にて受信した地域情報の取得要求を基に、前記通過許可装置と接続されたデータベースサーバ装置が管理する地域情報を取得し、該取得した地域情報を前記移動体通信端末装置に近距離無線通信にて送信する地域情報送信工程と、
を行うことを特徴とする地域情報配信方法。
【請求項１４】
特定区域への通過の可否を決定する通過許可装置と、前記通過許可装置と接続され前記特定区域に関する地域情報を管理するデータベースサーバ装置と、前記通過許可装置と近距離無線通信を行う移動体通信端末装置と、を用いて行う地域情報配信方法であって、
前記移動体通信端末装置が、前記特定区域への通過を前記通過許可装置に容認させるための通過許可情報と共に、前記特定区域に関する地域情報の取得要求を前記通過許可装置に近距離無線通信にて送信する地域情報取得要求工程と、
前記通過許可装置が、前記移動体通信端末装置から近距離無線通信にて受信した通過許可情報を基に通過の許可を容認すると共に、前記移動体通信端末装置から近距離無線通信にて受信した地域情報の取得要求を、前記通過許可装置と接続されたデータベースサーバ装置に送信する地域情報取得要求中継工程と、
前記データベースサーバ装置が、前記通過許可装置から送信された地域情報の取得要求を受信し、該受信した地域情報の取得要求に応じた地域情報を前記通過許可装置に送信する地域情報中継工程と、
前記通過許可装置が、前記データベースサーバ装置から送信された地域情報を受信し、該受信した地域情報を前記移動体通信端末装置に近距離無線通信にて送信する地域情報送信工程と、
を行うことを特徴とする地域情報配信方法。
【請求項１５】
前記地域情報取得要求工程は、
前記通過許可装置に近距離無線通信にて送信する前記取得要求と共に、前記データベースサーバ装置の管理する地域情報を前記通過許可装置に提供するか否かを判定する際に必需となる認証情報を送信し、
前記地域情報取得要求中継工程は、
前記地域情報取得要求工程により、前記移動体通信端末装置から近距離無線通信にて受信した地域情報の取得要求と共に、前記認証情報を前記データベースサーバ装置に送信し、
前記地域情報中継工程は、
前記地域情報取得要求中継工程により、前記通過許可装置から地域情報の取得要求と共に送信される前記認証情報が、前記データベースサーバ装置の管理する認証情報に該当すると判定した場合に、前記データベースサーバ装置の管理する地域情報を前記通過許可装置に送信することを特徴とする請求項１４記載の地域情報配信方法。
【請求項１６】
前記データベースサーバ装置の管理する地域情報と認証情報との少なくとも一つの情報を更新する情報更新手段と、
前記移動体通信端末装置に前記認証情報を送信する認証情報送信手段と、を有する地域情報提供サーバを更に有して行う地域情報配信方法であって、
前記移動体通信端末装置が、前記地域情報提供サーバから前記認証情報を取得するための登録情報を前記地域情報提供サーバに登録する登録情報登録工程と、
前記地域情報提供サーバにおいて前記登録情報の登録が完了した際に、前記地域情報提供サーバの具備する前記認証情報送信手段が前記登録情報を登録した移動体通信端末装置に認証情報を送信し、また、前記情報更新手段が前記データベースサーバ装置に地域情報と認証情報との少なくとも一つの情報を送信する認証情報送信工程と、
を行うことを特徴とする請求項１５記載の地域情報配信方法。
【請求項１７】
前記通過許可装置が、前記移動体通信端末装置から受信した通過許可情報を基に通過の許可を容認した、通過区間に応じた通過ポイントを算出し、該算出した通過ポイントを、前記移動体通信端末装置から受信した認証情報と共に前記データベースサーバ装置に送信する通過ポイント算出工程と、
前記データベースサーバ装置が、前記通過許可装置から受信した通過ポイントを、前記通過許可装置から受信した認証情報と共に蓄積管理する通過ポイント管理工程と、
を行うことを特徴とする請求項１５または１６記載の地域情報配信方法。
【請求項１８】
前記移動体通信端末装置が、前記地域情報提供サーバにアクセスするための接続情報を、前記自動改札装置から近距離無線通信にて取得し、該取得した接続情報を基に、前記地域情報提供サーバにアクセスし、前記登録情報を前記地域情報提供サーバに登録する接続情報取得工程を行うことを特徴とする請求項１６記載の地域情報配信方法。
【請求項１９】
前記移動体通信端末装置が、前記特定区域への通過を前記通過許可装置に容認させるための通過許可情報と共に、前記データベースサーバ装置が管理する地域情報を前記通過許可装置に提供するか否かを判定する際に必需となる認証情報を、前記通過許可装置に近距離無線通信にて送信する地域情報取得事前要求工程と、
前記通過許可装置が、前記移動体通信端末装置から近距離無線通信により受信した通過許可情報を基に通過の許可を容認すると共に、前記移動体通信端末装置から近距離無線通信にて受信した前記認証情報を、前記通過許可装置と接続されたデータベースサーバ装置に送信する地域情報取得事前認証情報送信工程と、
前記データベースサーバ装置が、前記通過許可装置から送信された前記認証情報が、前記データベースサーバ装置の管理する認証情報に該当すると判定した場合に、前記通過許可装置から送信された前記認証情報に該当する認証情報を取り出し、該取り出した認証情報を前記データベースサーバ装置の具備するメモリに一時的に登録して管理する地域情報取得事前認証情報管理工程と、
を行い、
前記通過許可装置から地域情報の取得要求と共に送信される前記認証情報が、前記データベースサーバ装置の具備するメモリで一時的に管理する認証情報に該当すると判定した場合に、前記データベースサーバ装置の管理する地域情報を前記通過許可装置に提供することを特徴とする請求項１５から１７の何れか１項に記載の地域情報配信方法。
【請求項２０】
前記通過ポイント算出工程は、
前記通過ポイントを前記認証情報と共に一時的に蓄積させ、該蓄積させた通過ポイントを前記認証情報と共に、前記データベースサーバ装置に定期的に送信する通過ポイント蓄積工程を更に行うことを特徴とする請求項１７記載の地域情報配信方法。
【請求項２１】
前記地域情報取得要求工程による前記取得要求の送信と、前記地域情報送信工程による前記地域情報の送信と、を一度の近距離無線通信にて行うことを特徴とする請求項１３または１４記載の地域情報配信方法。
【請求項２２】
前記地域情報取得要求工程による前記取得要求の送信と、前記地域情報送信工程による前記地域情報の送信と、を各々一度の近距離無線通信にて行うことを特徴とする請求項１３または１４記載の地域情報配信方法。
【発明の詳細な説明】
【技術分野】
【０００１】
本発明は、近距離無線通信を用いて特定区間の地域情報を取得する移動体通信端末装置、地域情報配信システム及び地域情報配信方法に関するものである。
【背景技術】
【０００２】
インターネットの普及に伴い、ネットワーク上でユーザが所望する地域情報を提供するネットビジネスが行われており、例えば、利用者側の利用者端末と、地域情報を提供する情報提供サーバと、がインターネットを介して接続されたシステムが構築されており、利用者端末に搭載されたインターネット機能（Ｉ−ｍｏｄｅ、無線ＬＡＮ、ＰＨＳ等）を用いて情報提供サーバにアクセスすることで、利用者の所望する地域情報を情報提供サーバの情報サイトから取得する方法がある。
【０００３】
また、上記のようなシステム構成において、利用者端末に地域情報を配信する際に必要となる配信情報を、利用者端末を用いて情報提供サーバの情報サイトに事前に登録し、その情報提供サーバの情報サイトが定期的に地域情報を利用者端末に配信することで、利用者が地域情報を取得する方法がある。
【０００４】
なお、本発明より先に出願された技術文献として、近距離無線通信機能と携帯電話機能とを有する携帯端末と、自動改札装置と、の間で近距離無線通信を行い、自動改札装置を通過する際の改札処理を行う発明が開示されている（例えば、特許文献１参照）。
【０００５】
また、携帯型情報端末と一体化された携帯型記憶媒体に記憶された情報提供の契約内容が、自動改札装置に近距離無線通信にて送信され、その送信された契約内容が自動改札装置を介してシステム管理装置に転送され、システム管理装置から携帯型記憶媒体と一体化した携帯型情報端末に、契約内容に沿った情報が配信される技術が開示されている（例えば、特許文献２参照）。
【特許文献１】特開２００２−３１９０４９号公報（第５頁、図６）
【特許文献２】特開平８−１８５２３号公報（第９頁、図５）
【発明の開示】
【発明が解決しようとする課題】
【０００６】
従来の地域情報配信システムにはいくつかの課題があり、例えば、利用者端末を用いて情報提供サーバが提供する情報サイトから利用者の所望する地域情報を取得するには、利用者は情報サイトに格納されている豊富な情報源から地域情報を検索することとなり、地域情報の検索条件を絞り込んで検索しなければ利用者の所望する地域情報を取得することは困難となる。このため、情報提供サーバが提供する情報サイトから利用者の所望する地域情報を検索取得するには、ある程度の時間とコストが必要となる。
【０００７】
また、情報提供サーバから利用者端末に配信される地域情報は、利用者の所望する地域情報ではあるが、その地域情報は情報提供サーバから利用者端末に定期的に配信されるため、利用者が地域情報を必要とする時間に、情報提供サーバから利用者端末に配信されるわけではなく、また、利用者が現時点に位置する地域情報とは限らない場合がある。これは、情報提供サーバの情報サイトに事前に登録した地域情報のみが利用者端末に配信されるため、利用者の現時点の地域情報が利用者端末に配信されるとは限らず、また、利用者の現時点の地域情報を、利用者の必要とする時間に瞬時に取得することができないためである。
【０００８】
このように、従来の地域情報配信システムは、地域情報の検索にある程度の時間やコストを要し、また、不要な地域情報も含めて利用者端末が無差別に受信する場合もあることから、利用者の現時点の地域に特定した地域情報を利用者が取得するには、利用者にかなりの手間を要するものであった。
【０００９】
また、特許文献１（特開平２００２−３１９０４９号公報）には、近距離無線通信機能と携帯電話機能とを備える携帯端末と、自動改札装置と、の間で近距離無線通信を用いた改札処理を行う技術のみが示唆されており、地域情報の取得に関する技術は何ら示唆されていない。
【００１０】
また、特許文献２（特開平８−１８５２３号公報）には、携帯型情報端末を保持する利用者が自動改札装置を通過する際の処理を用いて、携帯型情報端末装置に所定の情報が送信される旨の技術思想が示唆されているが、携帯型情報端末装置に所定の情報が送信されるには、自動改札装置を通過する際に携帯型情報端末装置から契約内容を自動改札装置に送信し、利用者が自動改札装置を通過して所定の時間が経過した後に、契約内容に沿った情報が携帯型情報端末装置に配信されることから、携帯型情報端末装置に情報が配信されるまでには、ある程度の時間を必要とし、自動改札装置を通過する際に、契約内容に沿った情報を携帯型情報端末装置が取得することはできない。
【００１１】
本発明は上記事情に鑑みてなされたものであり、特定区域への通過の可否を決定する通過許可装置を通過する際に、特定区域に関する地域情報を取得する移動体通信端末装置、地域情報配信システム及び地域情報配信方法を提供することを目的とする。
【課題を解決するための手段】
【００１２】
かかる目的を達成するために本発明は以下のような特徴を有する。
【００１３】
請求項１記載の発明は、特定区域への通過の可否を決定する通過許可装置との間で近距離無線通信を行う移動体通信端末装置であって、特定区域への通過を通過許可装置に容認させるための通過許可情報と共に、特定区域に関する地域情報の取得要求を通過許可装置に近距離無線通信にて送信する地域情報取得要求手段と、地域情報取得要求手段により取得要求を送信した通過許可装置から地域情報を近距離無線通信にて受信する地域情報受信手段と、を有することを特徴とする。
【００１４】
請求項２記載の発明は、請求項１記載の移動体通信端末装置において、地域情報取得要求手段による取得要求の送信と、地域情報受信手段による地域情報の受信と、を一度の近距離無線通信にて行うことを特徴とする。
【００１５】
請求項３記載の発明は、請求項１記載の移動体通信端末装置において、地域情報取得要求手段による取得要求の送信と、地域情報受信手段による地域情報の受信と、を各々一度の近距離無線通信にて行うことを特徴とする。
【００１６】
請求項４記載の発明は、特定区域への通過の可否を決定する通過許可装置と、通過許可装置と接続され特定区域に関する地域情報を管理するデータベースサーバ装置と、通過許可装置と近距離無線通信を行う移動体通信端末装置と、を有する地域情報配信システムであって、移動体通信端末装置は、特定区域への通過を通過許可装置に容認させるための通過許可情報と共に、特定区域に関する地域情報の取得要求を通過許可装置に近距離無線通信にて送信する地域情報取得要求手段と、地域情報取得要求手段により取得要求を送信した通過許可装置から地域情報を近距離無線通信にて受信する地域情報受信手段と、を有し、通過許可装置は、移動体通信端末装置から近距離無線通信にて受信した通過許可情報を基に通過の許可を容認すると共に、移動体通信端末装置から近距離無線通信にて受信した地域情報の取得要求を、通過許可装置と接続されたデータベースサーバ装置に送信し、データベースサーバ装置にて管理する地域情報を取得し、該取得した地域情報を移動体通信端末装置に近距離無線通信にて送信する地域情報中継手段を有し、データベースサーバ装置は、通過許可装置からの地域情報の取得要求を受信し、該受信した地域情報の取得要求に応じた地域情報を通過許可装置に提供する地域情報提供手段を有することを特徴とする。
【００１７】
請求項５記載の発明は、請求項４記載の地域情報配信システムにおいて、地域情報取得要求手段は、データベースサーバ装置の管理する地域情報を通過許可装置に提供するか否かを判定する際に必需となる認証情報を、地域情報の取得要求と共に近距離無線通信にて通過許可装置に送信し、地域情報中継手段は、地域情報取得要求手段により、移動体通信端末装置から近距離無線通信にて受信した地域情報の取得要求と認証情報とをデータベースサーバ装置に送信し、地域情報提供手段は、地域情報中継手段により、通過許可装置から地域情報の取得要求と共に送信される認証情報が、データベースサーバ装置の管理する認証情報に該当すると判定した場合に、データベースサーバ装置の管理する地域情報を通過許可装置に提供することを特徴とする。
【００１８】
請求項６記載の発明は、請求項５記載の地域情報配信システムにおいて、データベースサーバ装置の管理する地域情報と認証情報との少なくとも一つの情報を更新する情報更新手段と、移動体通信端末装置に認証情報を送信する認証情報送信手段と、を有する地域情報提供サーバを更に有して構成された地域情報配信システムであって、移動体通信端末装置は、地域情報提供サーバから認証情報を取得するための登録情報を地域情報提供サーバに登録し、該登録した地域情報提供サーバから認証情報を受信する認証情報取得手段を更に有し、データベースサーバ装置は、地域情報提供サーバから送信される地域情報と認証情報との少なくとも一つの情報に対応する情報を更新する管理情報更新手段を更に有することを特徴とする。
【００１９】
請求項７記載の発明は、請求項５または６記載の地域情報配信システムにおいて、通過許可装置は、移動体通信端末装置から近距離無線通信にて受信した通過許可情報を基に通過の許可を容認した、通過区間に応じた通過ポイントを算出し、該算出した通過ポイントを、移動体通信端末装置から近距離無線通信にて受信した認証情報と共にデータベースサーバ装置に送信する通過ポイント算出手段を更に有し、データベースサーバ装置は、通過ポイント算出手段により、通過許可装置から受信した通過ポイントを、通過許可装置から受信した認証情報と共に蓄積管理し、外部の通信端末装置から認証情報を受信した際に、該受信した認証情報に該当する通過ポイントを通信端末装置に送信する通過ポイント管理手段を更に有することを特徴とする。
【００２０】
請求項８記載の発明は、請求項６記載の地域情報配信システムにおいて、移動体通信端末装置は、地域情報提供サーバにアクセスするための接続情報を、自動改札装置から近距離無線通信にて取得する接続情報取得手段を更に有し、接続情報取得手段により取得した接続情報を基に、地域情報提供サーバにアクセスし、登録情報を地域情報提供サーバに登録することを特徴とする。
【００２１】
請求項９記載の発明は、請求項５から７の何れか１項に記載の地域情報配信システムにおいて、移動体通信端末装置は、特定区域への通過を通過許可装置に容認させるための通過許可情報と共に、データベースサーバ装置が管理する地域情報を通過許可装置に提供するか否かを判定する際に必需となる認証情報を通過許可装置に近距離無線通信にて送信する地域情報取得事前要求手段を更に有し、通過許可装置は、地域情報取得事前要求手段により、移動体通信端末装置から近距離無線通信により受信した通過許可情報を用いて通過の許可を容認すると共に、移動体通信端末装置から近距離無線通信にて受信した認証情報を、通過許可装置と接続されたデータベースサーバ装置に対して送信する地域情報取得事前認証情報送信手段を更に有し、データベースサーバ装置は、地域情報取得事前認証情報送信手段により通過許可装置から送信された認証情報が、データベースサーバ装置の管理する認証情報に該当すると判定した場合に、通過許可装置から送信された認証情報に該当する認証情報を取り出し、該取り出した認証情報をデータベースサーバ装置の具備するメモリに一時的に登録して管理する地域情報取得事前認証情報管理手段を更に有し、通過許可装置から地域情報の取得要求と共に送信される認証情報が、データベースサーバ装置の具備するメモリで一時的に管理する認証情報に該当すると判定した場合に、データベースサーバ装置の管理する地域情報を通過許可装置に提供することを特徴とする。
【００２２】
請求項１０記載の発明は、請求項７記載の地域情報配信システムにおいて、通過ポイント算出手段は、通過ポイントを認証情報と共に一時的に蓄積させ、該蓄積させた通過ポイントを認証情報と共に、データベースサーバ装置に定期的に送信する通過ポイント蓄積手段を有することを特徴とする。
【００２３】
請求項１１記載の発明は、請求項４記載の地域情報配信システムにおいて、地域情報取得要求手段による取得要求の送信と、地域情報受信手段による地域情報の受信と、を一度の近距離無線通信にて行うことを特徴とする。
【００２４】
請求項１２記載の発明は、請求項４記載の地域情報配信システムにおいて、地域情報取得要求手段による取得要求の送信と、地域情報受信手段による地域情報の受信と、を各々一度の近距離無線通信にて行うことを特徴とする。
【００２５】
請求項１３記載の発明は、特定区域への通過の可否を決定する通過許可装置と、通過許可装置と接続され特定区域に関する地域情報を管理するデータベースサーバ装置と、通過許可装置と近距離無線通信を行う移動体通信端末装置と、を用いて行う地域情報配信方法であって、移動体通信端末装置が、特定区域への通過を通過許可装置に容認させるための通過許可情報と共に、特定区域に関する地域情報の取得要求を通過許可装置に近距離無線通信にて送信する地域情報取得要求工程と、通過許可装置が、移動体通信端末装置から近距離無線通信にて受信した通過許可情報を基に通過の許可を容認すると共に、移動体通信端末装置から近距離無線通信にて受信した地域情報の取得要求を基に、通過許可装置と接続されたデータベースサーバ装置が管理する地域情報を取得し、該取得した地域情報を移動体通信端末装置に近距離無線通信にて送信する地域情報送信工程と、を行うことを特徴とする。
【００２６】
請求項１４記載の発明は、特定区域への通過の可否を決定する通過許可装置と、通過許可装置と接続され特定区域に関する地域情報を管理するデータベースサーバ装置と、通過許可装置と近距離無線通信を行う移動体通信端末装置と、を用いて行う地域情報配信方法であって、移動体通信端末装置が、特定区域への通過を通過許可装置に容認させるための通過許可情報と共に、特定区域に関する地域情報の取得要求を通過許可装置に近距離無線通信にて送信する地域情報取得要求工程と、通過許可装置が、移動体通信端末装置から近距離無線通信にて受信した通過許可情報を基に通過の許可を容認すると共に、移動体通信端末装置から近距離無線通信にて受信した地域情報の取得要求を、通過許可装置と接続されたデータベースサーバ装置に送信する地域情報取得要求中継工程と、データベースサーバ装置が、通過許可装置から送信された地域情報の取得要求を受信し、該受信した地域情報の取得要求に応じた地域情報を通過許可装置に送信する地域情報中継工程と、通過許可装置が、データベースサーバ装置から送信された地域情報を受信し、該受信した地域情報を移動体通信端末装置に近距離無線通信にて送信する地域情報送信工程と、を行うことを特徴とする。
【００２７】
請求項１５記載の発明は、請求項１４記載の地域情報配信方法において、地域情報取得要求工程は、通過許可装置に近距離無線通信にて送信する取得要求と共に、データベースサーバ装置の管理する地域情報を通過許可装置に提供するか否かを判定する際に必需となる認証情報を送信し、地域情報取得要求中継工程は、地域情報取得要求工程により、移動体通信端末装置から近距離無線通信にて受信した地域情報の取得要求と共に、認証情報をデータベースサーバ装置に送信し、地域情報中継工程は、地域情報取得要求中継工程により、通過許可装置から地域情報の取得要求と共に送信される認証情報が、データベースサーバ装置の管理する認証情報に該当すると判定した場合に、データベースサーバ装置の管理する地域情報を通過許可装置に送信することを特徴とする。
【００２８】
請求項１６記載の発明は、請求項１５記載の地域情報配信方法において、データベースサーバ装置の管理する地域情報と認証情報との少なくとも一つの情報を更新する情報更新手段と、移動体通信端末装置に認証情報を送信する認証情報送信手段と、を有する地域情報提供サーバを更に有して行う地域情報配信方法であって、移動体通信端末装置が、地域情報提供サーバから認証情報を取得するための登録情報を地域情報提供サーバに登録する登録情報登録工程と、地域情報提供サーバにおいて登録情報の登録が完了した際に、地域情報提供サーバの具備する認証情報送信手段が登録情報を登録した移動体通信端末装置に認証情報を送信し、また、情報更新手段がデータベースサーバ装置に地域情報と認証情報との少なくとも一つの情報を送信する認証情報送信工程と、を行うことを特徴とする。
【００２９】
請求項１７記載の発明は、請求項１５または１６記載の地域情報配信方法において、通過許可装置が、移動体通信端末装置から受信した通過許可情報を基に通過の許可を容認した、通過区間に応じた通過ポイントを算出し、該算出した通過ポイントを、移動体通信端末装置から受信した認証情報と共にデータベースサーバ装置に送信する通過ポイント算出工程と、データベースサーバ装置が、通過許可装置から受信した通過ポイントを、通過許可装置から受信した認証情報と共に蓄積管理する通過ポイント管理工程と、を行うことを特徴とする。
【００３０】
請求項１８記載の発明は、請求項１６記載の地域情報配信方法において、移動体通信端末装置が、地域情報提供サーバにアクセスするための接続情報を、自動改札装置から近距離無線通信にて取得し、該取得した接続情報を基に、地域情報提供サーバにアクセスし、登録情報を地域情報提供サーバに登録する接続情報取得工程を行うことを特徴とする。
【００３１】
請求項１９記載の発明は、請求項１５から１７の何れか１項に記載の地域情報配信方法において、移動体通信端末装置が、特定区域への通過を通過許可装置に容認させるための通過許可情報と共に、データベースサーバ装置が管理する地域情報を通過許可装置に提供するか否かを判定する際に必需となる認証情報を、通過許可装置に近距離無線通信にて送信する地域情報取得事前要求工程と、通過許可装置が、移動体通信端末装置から近距離無線通信により受信した通過許可情報を基に通過の許可を容認すると共に、移動体通信端末装置から近距離無線通信にて受信した認証情報を、通過許可装置と接続されたデータベースサーバ装置に送信する地域情報取得事前認証情報送信工程と、データベースサーバ装置が、通過許可装置から送信された認証情報が、データベースサーバ装置の管理する認証情報に該当すると判定した場合に、通過許可装置から送信された認証情報に該当する認証情報を取り出し、該取り出した認証情報をデータベースサーバ装置の具備するメモリに一時的に登録して管理する地域情報取得事前認証情報管理工程と、を行い、通過許可装置から地域情報の取得要求と共に送信される認証情報が、データベースサーバ装置の具備するメモリで一時的に管理する認証情報に該当すると判定した場合に、データベースサーバ装置の管理する地域情報を通過許可装置に提供することを特徴とする。
【００３２】
請求項２０記載の発明は、請求項１７記載の地域情報配信方法において、通過ポイント算出工程は、通過ポイントを認証情報と共に一時的に蓄積させ、該蓄積させた通過ポイントを認証情報と共に、データベースサーバ装置に定期的に送信する通過ポイント蓄積工程を更に行うことを特徴とする。
【００３３】
請求項２１記載の発明は、請求項１３または１４記載の地域情報配信方法において、地域情報取得要求工程による取得要求の送信と、地域情報送信工程による地域情報の送信と、を一度の近距離無線通信にて行うことを特徴とする。
【００３４】
請求項２２記載の発明は、請求項１３または１４記載の地域情報配信方法において、地域情報取得要求工程による取得要求の送信と、地域情報送信工程による地域情報の送信と、を各々一度の近距離無線通信にて行うことを特徴とする。
【発明の効果】
【００３５】
本発明にかかる移動体通信端末装置、地域情報配信システム及び地域情報配信方法は、特定区域への通過を通過許可装置に容認するための通過許可情報と共に、特定区域に関する地域情報を通過許可装置から取得するための取得要求を、移動体通信端末装置が、近距離無線通信にて通過許可装置に送信し、その取得要求を送信した通過許可装置が、特定区域に関する地域情報を近距離無線通信にて移動体通信端末装置に送信することで、利用者が通過許可装置を通過する際に、特定区域に関する地域情報を利用者の保持する移動体通信端末装置が取得することとなり、利用者の所望する特定区域の地域情報を素早く、且つ、手間なく取得することが可能となる。
【発明を実施するための最良の形態】
【００３６】
本発明にかかる移動体通信端末装置、地域情報配信システム及び地域情報配信方法は、通信範囲を端末装置自身の近傍に絞って通信処理を行う近距離無線通信機能を搭載した移動体通信端末装置（Ａ１〜Ａｎ（ｎは任意の整数））を用いて、同じ近距離無線通信機能を具備する自動改札装置（Ｂ１〜Ｂｎ）と近距離無線通信により通過処理を行うと共に、自動改札装置（Ｂ１〜Ｂｎ）と接続されたデータベースサーバ装置（Ｃ１〜Ｃｎ）で管理する地域情報を、自動改札装置（Ｂ１〜Ｂｎ）を経由して移動体通信端末装置（Ａ１〜Ａｎ）が取得することで、利用者の所望する地域情報を移動体通信端末装置（Ａ１〜Ａｎ）が素早く、且つ、手間なく取得することを可能とした。
【実施例１】
【００３７】
まず、図１を参照しながら、本発明にかかる第１の実施例における地域情報配信システムについて説明する。
【００３８】
第１の実施例における地域情報配信システムは、各エリアごとの地域情報を管理するデータベースサーバ装置（Ｃ１〜Ｃｎ）と、データベースサーバ装置（Ｃ１〜Ｃｎ）が管理する地域情報を取得する移動体通信端末装置（Ａ１〜Ａｎ）と、移動体通信端末装置（Ａ１〜Ａｎ）と近距離無線通信により乗降処理を行うと共に、データベースサーバ装置（Ｃ１〜Ｃｎ）が管理する地域情報を移動体通信端末装置（Ａ１〜Ａｎ）に近距離無線通信により中継する自動改札装置（Ｂ１〜Ｂｎ）と、データベースサーバ装置（Ｃ１〜Ｃｎ）で管理する地域情報の更新処理を行う位置情報提供サーバ（Ｄ）と、を有して構成される。以下に、図２、図３を参照しながら、地域情報配信システムを構築する各装置の構成について説明する。なお、図２は、図１に示す地域情報配信システムのシステム構成を示し、図３は、図１、図２に示す移動体通信端末装置（Ａ１〜Ａｎ）の内部構成を示す図である。
【００３９】
（データベースサーバ装置）
データベースサーバ装置（Ｃ１〜Ｃｎ）は、自動改札装置（Ｂ１〜Ｂｎ）が設置されている駅周辺の特定エリアの地域情報を管理する情報処理装置であり、ネットワーク通信部（１）と、メモリ（２）と、を有して構成されている。
【００４０】
ネットワーク通信部（１）は、自動改札装置（Ｂ１〜Ｂｎ）から地域情報の取得要求を受信した際に、データベースサーバ装置（Ｃ１〜Ｃｎ）の具備するメモリ（２）に管理されている地域情報を自動改札装置（Ｂ１〜Ｂｎ）に送信する。なお、メモリ（２）に管理されている地域情報には、自動改札装置（Ｂ１〜Ｂｎ）を降りた特定区間の地域に関する情報が含まれており、例えば、飲食店、娯楽施設等の情報が含まれている。また、データベースサーバ装置（Ｃ１〜Ｃｎ）の具備するメモリ（２）には、取得要求先の自動改札装置（Ｂ１〜Ｂｎ）に地域情報を送信するか否かを判定するための認証情報が管理されており、自動改札装置（Ｂ１〜Ｂｎ）は、地域情報の取得要求と共に、データベースサーバ装置（Ｃ１〜Ｃｎ）から地域情報を取得する際に必要な認証情報を、データベースサーバ装置（Ｃ１〜Ｃｎ）の具備するネットワーク通信部（１）に送信し、データベースサーバ装置（Ｃ１〜Ｃｎ）の具備するネットワーク通信部（１）は、自動改札装置（Ｂ１〜Ｂｎ）から地域情報の取得要求と共に受信した認証情報が、データベースサーバ装置（Ｃ１〜Ｃｎ）の具備するメモリ（２）に管理されている認証情報に該当すると判定した場合に、データベースサーバ装置（Ｃ１〜Ｃｎ）の具備するメモリ（２）に管理されている地域情報を、取得要求先の自動改札装置（Ｂ１〜Ｂｎ）に送信することとなる。
【００４１】
（地域情報提供サーバ）
地域情報提供サーバ（Ｄ）は、データベースサーバ装置（Ｃ１〜Ｃｎ）の具備するメモリ（２）に地域情報と認証情報とを登録し、また、移動体通信端末装置（Ａ１〜Ａｎ）に認証情報を登録する情報処理装置である。なお、地域情報提供サーバ（Ｄ）は、認証情報と地域情報との少なくとも１つの情報をデータベースサーバ装置（Ｃ１〜Ｃｎ）に送信することで、データベースサーバ装置（Ｃ１〜Ｃｎ）の具備するメモリ（２）に管理されている認証情報と地域情報との少なくとも１つの情報が更新されることとなる。
【００４２】
（自動改札装置）
自動改札装置（Ｂ１〜Ｂｎ）は、移動体通信端末装置（Ａ１〜Ａｎ）と情報の送受信処理を近距離無線通信にて行う改札装置であり、利用者が自動改札装置（Ｂ１〜Ｂｎ）を通過する際に必要な乗降情報を、移動体通信端末装置（Ａ１〜Ａｎ）から取得し、その取得した乗降情報を基に、移動体通信端末装置（Ａ１〜Ａｎ）との間で乗車処理または降車処理を行うこととなる。なお、本実施例における自動改札装置（Ｂ１〜Ｂｎ）は、近距離無線通信により移動体通信端末装置（Ａ１〜Ａｎ）から乗降情報を受信すると共に、地域情報を取得するための認証情報を受信することとなる。そして、移動体端末装置（Ａ１〜Ａｎ）から受信した乗降情報を基に降車処理を行うと共に、認証情報を自動改札装置（Ｂ１〜Ｂｎ）と接続されたデータベースサーバ装置（Ｃ１〜Ｃｎ）に送信する。そして、データベースサーバ装置（Ｃ１〜Ｃｎ）から地域情報を取得し、その取得した地域情報を近距離無線通信にて移動体通信端末装置（Ａ１〜Ａｎ）に送信することとなる。以下、図２を参照しながら、第１の実施例における自動改札装置（Ｂ１〜Ｂｎ）の構成について説明する。
【００４３】
第１の実施例における自動改札装置（Ｂ１〜Ｂｎ）は、第１の近距離無線通信部（１０）と、乗降処理部（１１）と、第１のモデム（１２）と、ネットワーク通信部（１３）と、第２のモデム（１４）と、第２の近距離無線通信部（１５）と、を有して構成されている。
【００４４】
第１の近距離無線通信部（１０）は、移動体通信端末装置（Ａ１〜Ａｎ）と情報の送受信を近距離無線通信にて行う通信部であり、利用者が自動改札装置（Ｂ１〜Ｂｎ）を通過する際に必要な乗降情報を移動体通信端末装置（Ａ１〜Ａｎ）から近距離無線通信にて取得する。そして、移動体通信端末装置（Ａ１〜Ａｎ）から取得した乗降情報を乗降処理部（１１）に送信する。また、第１の近距離無線通信部（１０）は、移動体通信端末装置（Ａ１〜Ａｎ）から乗降情報と共に近距離無線通信により送信される認証情報を第１のモデム（１２）に送信する。
【００４５】
乗降処理部（１１）は、第１の近距離通信部（１０）から受信した乗降情報を基に降車処理を行う。そして、降車処理が完了した乗降情報を第２の近距離無線通信部（１５）に送信する。
【００４６】
第１のモデム（１２）は、第１の近距離無線通信部（１０）から受信した認証情報を、インターネットを介して送信するための信号の認証情報に変換し、その変換した認証情報をネットワーク通信部（１３）に送信する。
【００４７】
ネットワーク通信部（１３）は、第１のモデム（１２）から受信した認証情報を、インターネットを介して外部のデータベースサーバ装置（Ｃ１〜Ｃｎ）に送信する。また、データベースサーバ装置（Ｃ１〜Ｃｎ）に認証情報を送信した際に、データベースサーバ装置（Ｃ１〜Ｃｎ）から受信する地域情報を第２のモデム（１４）に送信する。
【００４８】
第２のモデム（１４）は、ネットワーク通信部（１３）から受信した地域情報を、近距離無線通信を用いて移動体通信端末装置（Ａ１〜Ａｎ）に送信するための信号の地域情報に変換し、その変換した地域情報を第２の近距離無線通信部（１５）に送信する。
【００４９】
第２の近距離無線通信部（１５）は、第１の近距離無線通信部（１０）と同様の機能で構成されており、第２のモデム（１４）から受信した地域情報と、乗降処理部（１１）から受信した降車処理を行った乗降情報と、を近距離無線通信により移動体通信端末装置（Ａ１〜Ａｎ）に送信する。
【００５０】
（移動体通信端末装置）
移動体通信端末装置（Ａ１〜Ａｎ）は、自動改札装置（Ｂ１〜Ｂｎ）と近距離無線通信により、乗降処理を行うと共に、自動改札装置（Ｂ１〜Ｂｎ）から地域情報を取得する端末装置である。この移動体通信端末装置（Ａ１〜Ａｎ）は、図３に示すように、操作部（２０）無線部（２１）と、近距離無線部（２２）と、制御部（２３）と、モデム（２４）と、メモリ（２５）と、モニタ部（２６）と、スピーカ部（２７）と、２つの無線アンテナ（２８、２９）と、を有して構成されている。
【００５１】
操作部（２０）は、移動体通信端末装置の制御を操作するものであり、例えば、モニタ部（２６）に表示された各種情報を選択したり切り替えたりする際の操作を行うこととなる。
【００５２】
無線部（２１）は、制御部（２３）からの信号を、無線アンテナ（２８）を介して外部の移動体通信端末装置に送信したり、外部の移動体通信端末装置からの信号を、無線アンテナ（２８）を介して受信して制御部（２３）に出力したりするものである。
【００５３】
近距離無線部（２２）は、制御部（２３）からの信号を、無線アンテナ（２９）を介して近距離無線通信機能を有する外部の通信端末装置に近距離無線通信で送信したり、また、外部の近距離無線通信機能を有する通信端末装置から無線アンテナ（２９）を介して近距離無線通信にて受信した信号を制御部（２３）に出力したりするものである。
【００５４】
制御部（２３）は、移動体通信端末装置内部の処理を制御するためのものであり、モデム（２４）は、デジタル信号を音声帯域のアナログ信号に変換してスピーカ部（２７）に送信したり、音声帯域のアナログ信号をデジタル信号に変換したりするものである。
【００５５】
メモリ（２５）は、各種情報を格納するためのものであり、本実施例では、自動改札装置から受信した地域情報、その地域情報を取得する際に必要な認証情報、自動改札装置を通過する際に必要な乗降情報、等が格納される。
【００５６】
モニタ部（２６）は、各種情報を表示するものであり、本実施例では、自動改札装置から取得した地域情報等が表示され、例えば、図４に示すような地域情報が、利用者に選択し易いようにモニタ部（２６）に表示にされる。なお、モニタ部（２６）に表示される地域情報の中から地図情報を利用することで駅周辺エリアの位置情報を利用者が容易に把握することが可能となる。さらに、自動改札装置から取得した地域情報に含まれる飲食店や娯楽施設などの位置情報を、地図情報として表示することで、その飲食店や娯楽施設までのアクセスが容易となる。
【００５７】
スピーカ部（２７）は、各種音情報を出力するものであり、本実施例では、自動改札装置から取得した地域情報をモデムにて音声帯域のアナログ信号に変換し、その変換した信号をスピーカ部（２７）から出力する。
【００５８】
（地域情報配信システムの処理動作）
次に、図１〜図５を参照しながら、第１の実施例における地域情報配信システムの処理動作について説明する。なお、図５は、地域情報配信システムの処理動作を示すシーケンスチャートである。
【００５９】
まず、利用者は、移動体通信端末装置（Ａ１〜Ａｎ）を用いて、データベースサーバ装置（Ｃ１〜Ｃｎ）と接続された地域情報提供サーバ（Ｄ）にアクセスし、移動体通信端末装置（Ａ１〜Ａｎ）が認証情報（地域情報をデータベースサーバ装置から取得する際に用いる情報）を取得するために必要な登録情報を地域情報提供サーバ（Ｄ）に登録する（ステップＡ１）。
【００６０】
そして、地域情報提供サーバ（Ｄ）において登録情報の登録が完了すると、地域情報を取得する際に用いられる認証情報が地域情報提供サーバ（Ｄ）から移動体通信端末装置（Ａ１〜Ａｎ）に送信され、図３に示す移動体通信端末装置（Ａ１〜Ａｎ）の具備するメモリ（２５）に認証情報が登録されることとなる（ステップＡ２）。
【００６１】
また、移動体通信端末装置（Ａ１〜Ａｎ）に送信した認証情報が地域情報提供サーバ（Ｄ）からデータベースサーバ装置（Ｃ１〜Ｃｎ）に送信され、図２に示すデータベースサーバ装置（Ｃ１〜Ｃｎ）の具備するメモリ（２）に認証情報が登録されることとなる（ステップＡ３）。
【００６２】
なお、認証情報は、データベースサーバ装置（Ｃ１〜Ｃｎ）の具備するメモリ（２）にて管理されている地域情報を更新するために、地域情報提供サーバ（Ｄ）がデータベースサーバ装置（Ｃ１〜Ｃｎ）に送信する地域情報と共に送信することも可能である。
【００６３】
次に、移動体通信端末装置（Ａ１〜Ａｎ）を保持する利用者が自動改札装置（Ｂ１〜Ｂｎ）を通過する際に、利用者の保持する移動体通信端末装置（Ａ１〜Ａｎ）を用いて、自動改札装置（Ｂ１〜Ｂｎ）を通過するための乗降情報と共に、地域情報を取得する際に必要な認証情報を近距離無線通信にて自動改札装置（Ｂ１〜Ｂｎ）に送信する（ステップＡ４）。
【００６４】
次に、自動改札装置（Ｂ１〜Ｂｎ）の具備する第１の近距離無線通信部（１０）は、移動体通信端末装置（Ａ１〜Ａｎ）から近距離無線通信にて乗降情報と認証情報とを受信する。次に、第１の近距離無線通信部（１０）は、移動体通信端末装置（Ａ１〜Ａｎ）から受信した乗降情報を乗降処理部（１１）に送信する。そして、乗降処理部（１１）は、第１の近距離無線通信部（１０）から受信した乗降情報を基に、降車処理を行い、降車処理が完了した乗降情報を第２の近距離無線通信部（１５）に送信する。
【００６５】
また、第１の近距離無線通信部（１０）は、移動体通信端末装置から受信した認証情報を、第１のモデム（１２）に送信する。第１のモデム（１２）は、第１の近距離無線通信部（１０）から受信した認証情報を、データベースサーバ装置（Ｃ１〜Ｃｎ）に送信するための信号の認証情報に変換し、その変換した認証情報をネットワーク通信部（１３）に送信する。そして、ネットワーク通信部（１３）は、第１のモデム（１２）から受信した認証情報をデータベースサーバ装置（Ｃ１〜Ｃｎ）の具備するネットワーク通信部（１）に送信する。
【００６６】
このように、自動改札装置（Ｂ１〜Ｂｎ）は、移動体通信端末装置（Ａ１〜Ａｎ）から近距離無線通信により受信した乗降情報を基に降車処理を行うと共に、認証情報をデータベースサーバ装置（Ｃ１〜Ｃｎ）に送信することとなる（ステップＡ５）。
【００６７】
次に、データベースサーバ装置（Ｃ１〜Ｃｎ）の具備するネットワーク通信部（１）は、自動改札装置（Ｂ１〜Ｂｎ）の具備するネットワーク通信部（１３）から受信した認証情報が、データベースサーバ装置（Ｃ１〜Ｃｎ）の具備するメモリ（２）にて管理する認証情報に該当するか否かを判定し、自動改札装置（Ｂ１〜Ｂｎ）から送信された認証情報が、データベースサーバ装置（Ｃ１〜Ｃｎ）の具備するメモリ（２）にて管理する認証情報に該当すると、ネットワーク通信部（１）が判定した場合は、ネットワーク通信部（１）は、取得要求先の自動改札装置（Ｂ１〜Ｂｎ）に対応する地域情報（α ）をメモリ（２）から取り出す。
【００６８】
次に、ネットワーク通信部（１）は、メモリ（２）から取り出した、取得要求先の自動改札装置（Ｂ１〜Ｂｎ）に対応する地域情報（α ）を、自動改札装置（Ｂ１〜Ｂｎ）の具備するネットワーク通信部（１３）に送信する（ステップＡ６）。
【００６９】
次に、自動改札装置（Ｂ１〜Ｂｎ）の具備するネットワーク通信部（１３）は、データベースサーバ装置（Ｃ１〜Ｃｎ）の具備するネットワーク通信部（１）から受信した地域情報（α ）を、第２のモデム（１４）に送信する。第２のモデム（１４）は、ネットワーク通信部（１３）から受信した地域情報（α ）を、移動体通信端末装置（Ａ１〜Ａｎ）に近距離無線通信にて送信するための信号の地域情報（α ）に変換する。そして、その変換した地域情報（α ）を第２の近距離無線通信部（１５）に送信する。次に、第２の近距離無線通信部（１５）は第２のモデム（１４）から受信した地域情報（α ）を、近距離無線通信にて取得要求先の移動体通信端末装置（Ａ１〜Ａｎ）に送信する（ステップＡ７）。
【００７０】
このように、第１の実施例における地域情報配信システムは、移動体通信端末装置と自動改札装置との間で近距離無線通信による降車処理を行うと共に、自動改札装置に対して地域情報の取得要求を行い、自動改札装置は、移動体通信端末の取得要求を基にデータベースサーバ装置から取得した地域情報を、移動体通信端末装置に近距離無線通信にて送信することで、移動体通信端末装置が地域情報を取得することとなる。なお、他の駅（図１に示すエリア２）に設置されている自動改札装置を通過する際にも上記と同様の処理動作（ステップＡ４〜ステップＡ７）が行われ、移動体通信端末装置は、データベースサーバ装置で管理されている自動改札装置に対応する地域情報（Ｂ）を、自動改札装置を介して近距離無線通信にて取得することとなる。
【００７１】
従って、移動体通信端末装置を保持する利用者は、移動体通信端末装置と自動改札装置との間で近距離無線通信を行い、移動体通信端末装置が自動改札装置を介してデータベースサーバ装置から取得した地域情報が、図３に示す移動体通信端末装置の具備するモニタ部（２６）に、図４に示すような画面が表示されると共に、そのモニタ部（２６）に表示された地域情報の中から興味のある情報があれば、利用者は、モニタ部（２６）に表示されている連絡先（ＵＲＬ、電話番号等）にアクセスすることも可能となる。
【００７２】
なお、上記において、利用者の保持する移動体通信端末装置以外のＰＣ（パーソナルコンピュータ）等の情報通信端末装置を用いて地域情報提供サーバに登録情報を登録し、利用者の保持する移動体通信端末装置に認証情報を取得させることも可能であり、この場合は、図６に示すように、ＰＣ（パーソナルコンピュータ）等の情報通信端末装置を用いて地域情報提供サーバに登録情報を登録し（ステップＢ０）、地域情報提供サーバにおいて登録情報の登録が完了した際に、登録情報の登録が完了した旨をＰＣ（パーソナルコンピュータ）等の情報通信端末装置に地域情報提供サーバが通知し（ステップＢ１）、また、利用者の保持する移動体通信端末装置と、データベースサーバ装置と、に認証情報が送信されることとなる（ステップＢ２、ステップＢ３）。
【００７３】
また、上記の地域情報配信システムにおける処理動作において、移動体通信端末装置（Ａ１〜Ａｎ）が自動改札装置（Ｂ１〜Ｂｎ）を介してデータベースサーバ装置（Ｃ１〜Ｃｎ）で管理する地域情報を取得する際には、図７（ａ）に示すように、移動体通信端末装置（Ａ１〜Ａｎ）が自動改札装置（Ｂ１〜Ｂｎ）と１度の近距離無線通信を行うことで、図５に示すステップＡ４〜ステップＡ７までの一連の処理動作、または、図６に示すステップＢ４〜ステップＢ７までの一連の処理動、を行い、移動体通信端末装置（Ａ１〜Ａｎ）が自動改札装置（Ｂ１〜Ｂｎ）を介してデータベースサーバ装置（Ｃ１〜Ｃｎ）で管理する地域情報を取得することも可能であり、また、図７（ｂ）に示すように、移動体通信端末装置（Ａ１〜Ａｎ）が自動改札装置（Ｂ１〜Ｂｎ）と２度の近距離無線通信を行うことで、移動体通信端末装置（Ａ１〜Ａｎ）が自動改札装置（Ｂ１〜Ｂｎ）を介してデータベースサーバ装置（Ｃ１〜Ｃｎ）で管理する地域情報を取得することも可能である。
【００７４】
なお、２度の近距離無線通信を行うことで地域情報を取得する際には、まず、１回目の近距離無線通信において、移動体通信端末装置（Ａ１〜Ａｎ）が乗降情報と共に、認証情報を自動改札装置（Ｂ１〜Ｂｎ）に送信し（図５に示すステップＡ４、図６に示すステップＢ４の処理動作）、２回目の近距離無線通信の際に、移動体通信端末装置（Ａ１〜Ａｎ）が地域情報を自動改札装置（Ｂ１〜Ｂｎ）から取得することとなる（図５に示すステップＡ７、図６に示すステップＢ７の処理動作）。
【実施例２】
【００７５】
次に、第２の実施例について説明する。
第２の実施例は、第１の実施例における地域情報配信システムと同様のシステム構成において、利用者が乗車時の自動改札装置を通過する際に、地域情報提供サーバにアクセスする際に必要となるアクセス情報を移動体通信端末装置が自動改札装置から取得し、移動体通信端末装置が取得したアクセス情報を基に、地域情報提供サーバにアクセスし、地域情報提供サーバに登録情報を登録し、移動体通信端末装置が認証情報を取得することを特徴とするものである。以下に、図８を参照しながら、第２の実施例における地域情報配信システムの処理動作について説明する。
【００７６】
まず、利用者が乗車時の自動改札装置（Ｂ１〜Ｂｎ）を通過する際に、利用者の保持する移動体通信端末装置（Ａ１〜Ａｎ）を用いて、自動改札装置（Ｂ１〜Ｂｎ）を通過するための乗降情報を近距離無線通信にて自動改札装置（Ｂ１〜Ｂｎ）に送信する（ステップＣ１）。次に、自動改札装置（Ｂ１〜Ｂｎ）は、移動体通信端末装置（Ａ１〜Ａｎ）から受信した乗降情報を基に、乗車処理を行うと共に、地域情報提供サーバ（Ｄ）にアクセスする際に必要となるアクセス情報を近距離無線通信にて移動体通信端末装置（Ａ１〜Ａｎ）に送信する（ステップＣ２）。
【００７７】
次に、移動体通信端末装置（Ａ１〜Ａｎ）は、自動改札装置（Ｂ１〜Ｂｎ）から受信したアクセス情報を基に、地域情報提供サーバ（Ｄ）にアクセスし、認証情報を取得する際に必要な登録情報を地域情報提供サーバ（Ｄ）に登録する（ステップＣ３）。そして、地域情報提供サーバ（Ｄ）において登録情報の登録が完了すると、地域情報を取得する際に用いられる認証情報が地域情報提供サーバ（Ｄ）から移動体通信端末装置（Ａ１〜Ａｎ）に送信されることとなる（ステップＣ４）。また、認証情報が地域情報提供サーバ（Ｄ）からデータベースサーバ装置（Ｃ１〜Ｃｎ）に送信され、データベースサーバ装置（Ｃ１〜Ｃｎ）の具備するメモリ（２）に認証情報が登録されることとなる（ステップＣ５）。なお、以下のステップＣ６〜ステップＣ９までの処理は、第１の実施例におけるステップＡ４〜ステップＡ７と同様な処理を行うこととなる。
【００７８】
このように、利用者が乗車時に通過する自動改札装置から、地域情報提供サーバにアクセスするためのアクセス情報を、利用者の保持する移動体通信端末装置が取得することで、地域情報提供サーバにアクセスする際に必要なアクセス情報を、利用者が事前に把握しなくとも地域情報提供サーバに登録情報を登録することが可能となり、利用者が乗車時の自動改札装置を通過してから、利用者が降車時の自動改札装置を通過するまでの一連の処理動作で、利用者の保持する移動体通信端末装置が地域情報を取得することが可能となる。
【実施例３】
【００７９】
次に、第３の実施例について説明する。
第３の実施例における地域情報配信システムは、データベースサーバ装置が、各自動改札装置に対応する特定地域エリアごとの地域情報を一括して管理し、データベースサーバ装置にて一括管理する地域情報が、自動改札装置に対応する特定地域エリアごとに区分けされて管理されることを特徴とするものである。また、データベースサーバ装置には、利用者が乗車した自動改札装置から利用者が降車した自動改札装置までの区間に応じて加算される乗車ポイント情報が、各利用者ごとに格納管理されており、自動改札装置から乗車ポイント情報が送信されることで、データベースサーバ装置にて格納管理される乗車ポイント情報が更新されることとなる。
【００８０】
まず、図９を参照しながら、第３の実施例における地域情報配信システムのシステム構成について説明する。
【００８１】
第３の実施例における地域情報配信システムは、第１の実施例におけるシステム構成において、移動体端末装置（Ａ１〜Ａｎ）から近距離無線通信にて受信した乗降情報を基に、利用者の乗車した自動改札装置（Ｂ１〜Ｂｎ）から利用者の降車した自動改札装置（Ｂ１〜Ｂｎ）までの区間に応じて加算される乗車ポイント情報を算出する乗車ポイント算出部（１６）が自動改札装置（Ｂ１〜Ｂｎ）に新たに設けられて構成され、また、データベースサーバ装置（Ｃ１）が、データベースサーバ装置（Ｃ１）の具備するメモリ（２）にて各自動改札装置に対応する特定地域エリアごとの地域情報を一括して管理することとなり、また、このメモリ（２）に自動改札装置（Ｂ１〜Ｂｎ）の乗車ポイント算出部（１６）で算出した乗車ポイント情報が蓄積管理されることとなる。
【００８２】
次に、図９〜図１１を参照しながら、第３の実施例における地域情報配信システムの処理動作について説明する。なお、図１０は、第３の実施例における地域情報配信システムの処理動作を示す概略図であり、図１１はその処理動作のシーケンスチャートを示す。
【００８３】
まず、利用者は、第１の実施例と同様に、地域情報提供サーバ（Ｄ）に登録情報を登録し（ステップＤ１）、移動体通信端末装置（Ａ１〜Ａｎ）の具備するメモリ（２５）に認証情報が登録されることとなる（ステップＤ２）。また、データベースサーバ装置（Ｃ１）の具備するメモリ（２）に認証情報が登録されることなる（ステップＤ３）。
【００８４】
次に、移動体通信端末装置（Ａ１〜Ａｎ）を保持する利用者が、降車時の自動改札装置（Ｂ１〜Ｂｎ）を通過する際に、利用者の保持する移動体通信端末装置（Ａ１〜Ａｎ）を用いて、自動改札装置（Ｂ１〜Ｂｎ）を通過するための乗降情報と共に、地域情報を取得する際に必要な認証情報を近距離無線通信にて自動改札装置（Ｂ１〜Ｂｎ）に送信する（ステップＤ４）。
【００８５】
次に、自動改札装置（Ｂ１〜Ｂｎ）の具備する第１の近距離無線通信部（１０）は、移動体通信端末装置（Ａ１〜Ａｎ）から近距離無線通信にて乗降情報と認証情報とを受信する。次に、第１の近距離無線通信部（１０）は、移動体通信端末装置（Ａ１〜Ａｎ）から受信した乗降情報を乗降処理部（１１）に送信する。そして、乗降処理部（１１）は、第１の近距離無線通信部（１０）から受信した乗降情報を基に、降車処理を行い、降車処理が完了した乗降情報を第２の近距離無線通信部（１５）に送信する。また、第１の近距離無線通信部（１０）は、移動体通信端末装置から受信した乗降情報を乗車ポイント算出部（１６）に送信する。そして、乗車ポイント算出部（１６）は、第１の近距離無線通信部（１０）から受信した乗降情報を基に、利用者が乗車した自動改札装置から利用者が降車した自動改札装置までの区間に応じて加算される乗車ポイント情報を算出する。そして、乗車ポイント算出部（１６）にて算出した乗車ポイント情報を第１のモデム（１２）に送信する。
【００８６】
また、第１の近距離無線通信部（１０）は、移動体通信端末装置から受信した認証情報を、第１のモデム（１２）に送信する。第１のモデム（１２）は、第１の近距離無線通信部（１０）から受信した認証情報と、乗車ポイント算出部（１６）から算出した乗車ポイント情報と、をデータベースサーバ装置（Ｃ１〜Ｃｎ）に送信するための信号の認証情報と乗車ポイント情報とに変換し、その変換した認証情報と乗車ポイント情報とをネットワーク通信部（１３）に送信する。
【００８７】
そして、ネットワーク通信部（１３）は、第１のモデム（１２）から受信した認証情報と乗車ポイント情報とをデータベースサーバ装置（Ｃ１）の具備するネットワーク通信部（１）に送信する。
【００８８】
このように、自動改札装置（Ｂ１〜Ｂｎ）は、移動体通信端末装置（Ａ１〜Ａｎ）から近距離無線通信にて受信した乗降情報を基に、降車処理を行う。また、移動体通信端末装置（Ａ１〜Ａｎ）から近距離無線通信にて受信した乗降情報を基に、乗車ポイント情報を算出する。そして、自動改札装置（Ｂ１〜Ｂｎ）は、移動体通信端末装置（Ａ１〜Ａｎ）から近距離無線通信により受信した認証情報と、自動改札装置（Ｂ１〜Ｂｎ）において算出した乗車ポイント情報と、をデータベースサーバ装置（Ｃ１）に送信することとなる（ステップＤ５）。
【００８９】
次に、データベースサーバ装置（Ｃ１）の具備するネットワーク通信部（１）は、自動改札装置（Ｂ１〜Ｂｎ）の具備するネットワーク通信部（１３）から受信した認証情報が、データベースサーバ装置（Ｃ１）の具備するメモリ（２）にて管理する認証情報に該当するか否かを判定し、データベースサーバ装置（Ｃ１）の具備するメモリ（２）にて管理する認証情報に該当するとネットワーク通信部（１）が判定した場合は、ネットワーク通信部（１）は、取得要求先の自動改札装置（Ｂ１〜Ｂｎ）に対応する地域情報（α ）をメモリ（２）から取り出す。また、データベースサーバ装置（Ｃ１）は、自動改札装置（Ｂ１〜Ｂｎ）から受信した乗車ポイント情報をデータベースサーバ装置（Ｃ１）の具備するメモリ（２）に登録し、乗車ポイント情報と共に受信した認証情報に該当する乗車ポイント情報を更新する。次に、ネットワーク通信部（１）は、メモリ（２）から取り出した、取得要求先の自動改札装置（Ｂ１〜Ｂｎ）に対応する地域情報（α ）を、自動改札装置（Ｂ１〜Ｂｎ）の具備するネットワーク通信部（１３）に送信する（ステップＤ６）。
【００９０】
次に、自動改札装置（Ｂ１〜Ｂｎ）の具備するネットワーク通信部（１３）は、データベースサーバ装置（Ｃ１）の具備するネットワーク通信部（１）から受信した地域情報（α ）を、第２のモデム（１４）に送信する。第２のモデム（１４）は、ネットワーク通信部（１３）から受信した地域情報（α ）を、移動体通信端末装置（Ａ１〜Ａｎ）に近距離無線通信にて送信するための信号の地域情報（α ）に変換する。そして、その変換した地域情報（α ）を第２の近距離無線通信部（１５）に送信する。次に、第２の近距離無線通信部（１５）は第２のモデム（１４）から受信した地域情報（α ）を、近距離無線通信にて取得要求先の移動体通信端末装置（Ａ１〜Ａｎ）に送信する（ステップＤ７）。
【００９１】
このように、第３の実施例における地域情報配信システムは、移動体通信端末装置と自動改札装置との間で近距離無線通信による降車処理を行うと共に、自動改札装置に対して地域情報の取得要求を行う。そして、自動改札装置は、移動体通信端末の取得要求を基に、データベースサーバ装置から取得した自動改札装置に対応する地域情報を、移動体通信端末装置に近距離無線通信にて送信することで、自動改札装置に対応する地域情報を移動体通信端末装置が取得することとなる。また、自動改札装置で算出した乗車ポイント情報をデータベースサーバ装置に送信し、データベースサーバ装置は、認証情報に対応する乗車ポイント情報を更新することとなる。
【００９２】
これにより、移動体通信端末装置を保持する利用者は、データベースサーバ装置から取得した地域情報に登録されている飲食店や娯楽施設等の情報にアクセスすることが可能となる。また、データベースサーバ装置に格納管理されている乗車ポイント情報を、地域情報に登録されている飲食店や娯楽施設で用いて利用者が様々なサービスを受けられることとなる。なお、この乗車ポイント情報を用いたサービスの利用方法の一例について以下に説明する。
【００９３】
利用者が飲食店や娯楽施設にて乗車ポイント情報を利用する場合は、移動体通信端末装置に登録されている認証情報を、飲食店や娯楽施設に設置されている情報通信端末装置に登録する。そして、情報通信端末装置は乗車ポイント情報の取得要求と共に認証情報をデータベースサーバ装置に送信する。データベースサーバ装置は、情報通信端末装置から受信した認証情報がデータベースサーバ装置で管理されている認証情報に該当するか否かを判定し、データベースサーバ装置にて管理されている認証情報に該当すると判定した場合は、その該当する認証情報と共に管理されている乗車ポイント情報を取り出し、取得要求先の情報通信端末装置に乗車ポイント情報を送信する。そして、情報通信端末装置が受信した乗車ポイント情報を基に、その乗車ポイント情報に応じたサービスを利用者が受けられることとなる。そして、利用者が受けたサービスに応じて乗車ポイント情報が差し引かれ、その差し引かれた乗車ポイント情報が、情報通信端末装置から認証情報と共にデータベースサーバ装置に送信され、データベースサーバ装置は、情報通信端末装置から受信した乗車ポイント情報を基に、認証情報に対応する乗車ポイント情報を更新することとなる。
【００９４】
なお、上記の第３の実施例における地域情報配信システムの処理動作において、乗車ポイント情報を認証情報と共にデータベースサーバ装置に送信したが、乗車ポイント情報を一時的に自動改札装置で蓄積し、定期的にデータベースサーバ装置に転送することも可能である。この場合は、図１２に示すように、自動改札装置（Ｂ１〜Ｂｎ）にメモリ（１７）を設け、乗車ポイント情報に認証情報を付加させて、自動改札装置（Ｂ１〜Ｂｎ）の具備するメモリ（１７）に一時的に蓄積させる。そして、所定の時間が経過した後に、メモリ（１７）から認証情報が付加された乗車ポイント情報が取り出され、第１のモデム（１２）と、ネットワーク通信部（１３）と、を介してデータベースサーバ装置（Ｃ１）に送信する。そして、データベースサーバ装置（Ｃ１）は、自動改札装置（Ｂ１〜Ｂｎ）から受信した乗車ポイント情報を、データベースサーバ装置（Ｃ１）の具備するメモリ（２）に登録し、認証情報に対応する乗車ポイント情報を更新することとなる。
【００９５】
また、上記の第３の実施例における地域情報配信システムは、第２の実施例のように、利用者が乗車時の自動改札装置を通過する際に、利用者の保持する移動体通信端末装置が、地域情報提供サーバにアクセスするためのアクセス情報を自動改札装置から取得し、該取得したアクセス情報を基に、移動体通信端末装置から地域情報配信サーバに登録情報を登録することも可能である。
【実施例４】
【００９６】
次に、第４の実施例について説明する。
第４の実施例は、第３の実施例における地域情報配信システムにおいて、利用者が乗車時の自動改札装置を通過する際に、乗車処理を行うための乗降情報と共に、位置情報提供サーバから事前に取得した認証情報を近距離無線通信にて自動改札装置に送信する。そして、自動改札装置は、移動体通信端末装置から近距離無線通信にて送信された認証情報をデータベースサーバ装置に送信し、データベースサーバ装置は、自動改札装置から送信された認証情報に該当する認証情報を、データベースサーバ装置の具備するメモリ（２）から取り出し、その取り出した認証情報をデータベースサーバ装置の具備する第２のメモリ（３）に移行させ蓄積管理することを特徴とするものである。これにより、降車時の自動改札装置を通過する際に地域情報を取得する利用者のみを、乗車時の自動改札装置を通過する際に事前に選別することが可能となり、データベースサーバ装置にて行う認証情報の判定処理を簡略化することが可能となる。
【００９７】
まず、図１３を参照しながら、第４の実施例における地域情報配信システムの構成について説明する。
【００９８】
第４の実施例における地域情報配信システムは、データベースサーバ装置に第２のメモリ（３）を新たに設け、その新たに設けた第２のメモリ（３）に、降車時の自動改札装置を通過する際に地域情報を取得する利用者のみの認証情報を一時的に管理することになる。
【００９９】
次に、図１４を参照しながら、第４の実施例における地域情報配信システムの処理動作について説明する。
【０１００】
まず、利用者は、第３の実施例と同様に、地域情報提供サーバ（Ｄ）に登録情報を登録し（ステップＥ１）、移動体通信端末装置（Ａ１〜Ａｎ）の具備するメモリ（２５）に認証情報が登録されることになる（ステップＥ２）。また、データベースサーバ装置（Ｃ１）の具備するメモリ（２）に認証情報が登録されることになる（ステップＥ３）。
【０１０１】
次に、利用者が乗車時の自動改札装置（Ｂ１〜Ｂｎ）を通過する際に、利用者の保持する移動体通信端末装置（Ａ１〜Ａｎ）を用いて、自動改札装置（Ｂ１〜Ｂｎ）を通過するための乗降情報と共に、事前に位置情報提供サーバ（Ｄ）に登録した認証情報を、近距離無線通信にて自動改札装置（Ｂ１〜Ｂｎ）に送信する（ステップＥ４）。次に、自動改札装置（Ｂ１〜Ｂｎ）は、移動体通信端末装置（Ａ１〜Ａｎ）から近距離無線通信にて受信した乗降情報を基に乗車処理を行うと共に、移動体通信端末装置（Ａ１〜Ａｎ）から近距離無線通信にて受信した認証情報をデータベースサーバ装置（Ｄ）に送信する（ステップＥ５）。
【０１０２】
次に、データベースサーバ装置（Ｄ）は、自動改札装置（Ｂ１〜Ｂｎ）から受信した認証情報が、データベースサーバ装置（Ｃ１）の具備するメモリ（２）で管理する認証情報に該当するか否かを判定し、自動改札装置（Ｂ１〜Ｂｎ）から受信した認証情報が、データベースサーバ装置（Ｃ１）で管理する認証情報に該当すると判定した場合は、その該当する認証情報を取り出し、別の第２のメモリ（３）に移行させて一時的に管理する（ステップＥ６）。
【０１０３】
次に、移動体通信端末装置（Ａ１〜Ａｎ）を保持する利用者が、降車時の自動改札装置（Ｂ１〜Ｂｎ）を通過する際に、利用者の保持する移動体通信端末装置（Ａ１〜Ａｎ）を用いて、自動改札装置（Ｂ１〜Ｂｎ）を通過するための乗降情報と共に、地域情報を取得する際に必要な認証情報を近距離無線通信にて自動改札装置（Ｂ１〜Ｂｎ）に送信する（ステップＥ７）。
【０１０４】
自動改札装置（Ｂ１〜Ｂｎ）は、移動体通信端末装置（Ａ１〜Ａｎ）から近距離無線通信にて受信した乗降情報を基に、降車処理を行う。また、移動体通信端末装置（Ａ１〜Ａｎ）から近距離無線通信にて受信した乗降情報を基に、乗車ポイント情報を算出する。そして、自動改札装置（Ｂ１〜Ｂｎ）は、移動体通信端末装置（Ａ１〜Ａｎ）から近距離無線通信により受信した認証情報と、自動改札装置（Ｂ１〜Ｂｎ）において算出した乗車ポイント情報と、をデータベースサーバ装置（Ｃ１）に送信する（ステップＥ８）。
【０１０５】
次に、データベースサーバ装置（Ｃ１）は、自動改札装置（Ｂ１〜Ｂｎ）から受信した認証情報が、データベースサーバ装置（Ｃ１）の具備する第２のメモリ（３）で管理する認証情報に該当するか否かを判定し、データベースサーバ装置（Ｃ１）の具備する第２のメモリ（３）にて管理する認証情報に該当すると判定した場合は、取得要求先の自動改札装置（Ｂ１〜Ｂｎ）に対応する地域情報（α ）を取り出す。また、データベースサーバ装置（Ｃ１）は、自動改札装置（Ｂ１〜Ｂｎ）から受信した乗車ポイント情報をデータベースサーバ装置（Ｃ１）の具備するメモリ（２）に登録し、乗車ポイント情報と共に受信した認証情報に該当する乗車ポイント情報を更新する。
【０１０６】
次に、データベースサーバ装置（Ｃ１）は、取得要求先の自動改札装置（Ｂ１〜Ｂｎ）に対応する地域情報（α ）を自動改札装置（Ｂ１〜Ｂｎ）に送信する（ステップＥ９）。そして、データベースサーバ装置（Ｃ１）は、地域情報を取得要求先の自動改札装置（Ｂ１〜Ｂｎ）に送信した際に、第２のメモリ（３）に移行させた認証情報を消去する。
【０１０７】
次に、自動改札装置（Ｂ１〜Ｂｎ）は、データベースサーバ装置（Ｃ１）から受信した地域情報（α ）を取得要求先の移動体通信端末装置（Ａ１〜Ａｎ）に近距離無線通信にて送信する（ステップＥ１０）。
【０１０８】
このように、第４の実施例における地域情報配信システムは、乗車時の自動改札装置を通過した利用者の認証情報のみを、データベースサーバ装置の具備する第２のメモリに移行して一時的に管理することから、降車時の自動改札装置の通過時に地域情報を取得する利用者の認証情報のみを事前に把握することが可能となり、データベースサーバ装置が取得要求先の自動改札装置に地域情報を送信する際に行う認証情報の判定処理を簡略化することが可能となる。
【実施例５】
【０１０９】
次に、第５の実施例について説明する。
第１から第４の実施例は、駅に設置した自動改札装置を通過する際に地域情報を取得することとしたが、ある特定区域を通過する際に、その特定区域への通過の可否を決定する通過許可装置を有する構成であれば特に限定せず、例えば、遊園地等の娯楽施設に適用することも可能である。以下に、第５の実施例として、遊園地等の娯楽施設の入場ゲートに設置される通過許可装置を用いた地域情報配信システムの処理動作について、図１５を参照しながら説明する。
【０１１０】
まず、利用者は、移動体通信端末装置、または、ＰＣ（パーソナルコンピュータ）等の情報通信端末装置を用いて、娯楽情報提供サーバにアクセスする。そして、遊園地等の娯楽施設に入場する際に必要となる通過許可情報を移動体通信端末装置が取得するための登録情報を、娯楽情報提供サーバに登録する（ステップＦ１）。次に、娯楽情報提供サーバにおいて、登録情報の登録が完了すると、移動体通信端末装置に通過許可情報が送信されることとなる（ステップＦ２）。また、娯楽情報提供サーバから通過許可装置と接続されたデータベースサーバ装置に通過許可情報が送信され、データベースサーバ装置に登録されることとなる（ステップＦ３）。
【０１１１】
次に、利用者は、移動体通信端末装置が取得した通過許可情報を、遊園地の入場口に設置されている通過許可装置に対して近距離無線通信にて送信する（ステップＦ４）。次に、通過許可装置は、移動体通信端末装置から近距離無線通信により受信した通過許可情報を、通過許可装置と接続されたデータベースサーバ装置に送信する（ステップＦ５）。データベースサーバ装置は、通過許可装置から受信した通過許可情報が、データベースサーバ装置に登録された通過許可情報に該当するか否かを判定し、データベースサーバ装置に登録された通過許可情報に該当すると判定した場合は、データベースサーバ装置に登録されている娯楽施設内に関する娯楽情報を取り出し、その取り出した娯楽情報を通過許可装置に送信する（ステップＦ６）。次に、通過許可装置は、利用者の入場を許可しつつ、データベースサーバ装置から受信した娯楽情報を、利用者の保持する移動体通信端末装置に近距離無線通信にて送信する（ステップＦ７）。
【０１１２】
このように、娯楽施設内に入場するための通過許可情報を移動体通信端末装置が取得するために必要な登録情報を、娯楽情報提供サーバに登録し、娯楽情報提供サーバは、利用者の保持する移動体通信端末装置に対して通過許可情報を送信する。そして、移動体通信端末装置は、娯楽情報提供サーバから受信した通過許可情報を、娯楽施設に設置されている通過許可装置に対して近距離無線通信にて送信し、通過許可装置は、移動体通信端末装置から近距離無線通信により受信した通過許可情報を基に、利用者の入場を許可しつつ、データベースサーバ装置から受信した娯楽情報を、利用者の保持する移動体通信端末装置に近距離無線通信にて送信することとなる。従って、ある特定区域を通過する際に、その特定区域への通過の可否を決定する通過許可装置を有する構成であれば特に限定せず、図書館や、美術館、映画館等の特定区域を構築する施設に通過許可装置を設置し、その設置した通過許可装置と移動体通信端末装置との間で近距離無線通信を行い、通過許可装置が施設内の情報を近距離無線通信にて移動体通信端末装置に送信することで、移動体通信端末装置が娯楽施設内の情報を取得することが可能となる。
【０１１３】
なお、上述する実施例は、本発明の好適な実施例であり、本発明の要旨を逸脱しない範囲内において種々変更実施が可能である。例えば、上記第１から第５の実施例の地域情報配信システムを構成する移動体通信端末装置と、自動改札装置（通過許可装置）と、の近距離無線通信は、近距離無線での通信処理が可能な通信方式であれば特に限定せず、ＩＣ、ｂｌｕｅｔｏｏｔｈ、赤外線等が適用可能である。また、自動改札装置（通過許可装置）と、データベースサーバ装置と、の通信方式も特に限定せず、有線や無線で接続することも可能である。
【０１１４】
また、本実施例における地域情報配信システムの処理動作をプログラムとして、移動体通信端末装置や、ＰＣ等の情報処理装置、自動改札装置等の入場許可装置に格納することでも、本実施例における地域情報配信システムを構築することは可能である。
【産業上の利用可能性】
【０１１５】
ある特定区域を通過する際に、その特定区域への通過の可否を決定する通過許可装置を有する構成であれば特に限定せず、例えば、図書館、美術館、映画館、球技場、遊園地等の特定区域を構築する施設に適用可能であり、その特定区域を構築する施設に、通過許可装置を設置し、その設置した通過許可装置と移動体通信端末装置との間で近距離無線通信を行い、通過許可装置がその特定区域に関する情報を近距離無線通信にて移動体通信端末装置に送信することで、利用者の保持する移動体通信端末装置が特定区域に関する情報を取得することが可能となる。
【図面の簡単な説明】
【０１１６】
【図１】第１の実施例における地域情報配信システムのシステム構成を示す図である。
【図２】第１の実施例における地域情報配信システムを構成する各装置の構成を示す概念図である。
【図３】第１の実施例における地域情報配信システムを構成する移動体通信端末装置の内部構成を示す図である。
【図４】移動体通信端末装置の具備するモニタ部に表示される地域情報の表示例を示す図である。
【図５】第１の実施例における地域情報配信システムの第１の処理動作を示すシーケンスチャートである。
【図６】第１の実施例における地域情報配信システムの第２の処理動作を示すシーケンスチャートである。
【図７】移動体通信端末装置が自動改札装置を介してデータベースサーバ装置で管理する地域情報を取得する際の一例を示す図である。
【図８】第２の実施例における地域情報配信システムの処理動作を示すシーケンスチャートである。
【図９】第３の実施例における地域情報配信システムを構成する各装置の構成を示す概念図である。
【図１０】第３の実施例における地域情報配信システムの処理動作を示す図である。
【図１１】第３の実施例における地域情報配信システムの処理動作を示すシーケンスチャートである。
【図１２】第３の実施例における地域情報配信システムの第２の構成例を示す図である。
【図１３】第４の実施例における地域情報配信システムを構成する各装置の構成を示す図である。
【図１４】第４の実施例における地域情報配信システムの処理動作を示すシーケンスチャートである。
【図１５】第５の実施例における処理動作を示すシーケンスチャートである。
【符号の説明】
【０１１７】
Ａ１〜Ａｎ    移動体通信端末装置
Ｂ１〜Ｂｎ    自動改札装置
Ｃ１〜Ｃｎ    データベースサーバ装置
Ｄ    地域情報提供サーバ
１、１３    ネットワーク通信部
２、１７、２５    メモリ
３    第２のメモリ
１０、１５    近距離無線通信部
１１    乗降処理部
１６    乗車ポイント算出部
１２、１４、２４    モデム
２０    操作部
２１    無線部
２２    近距離無線部
２３    制御部
２６    モニタ部
２７    スピーカ部
２８、２９    無線アンテナ
【図１】
2005039678.tif 000003
【図２】
2005039678.tif 000004
【図３】
2005039678.tif 000005
【図４】
2005039678.tif 000006
【図５】
2005039678.tif 000007
【図６】
2005039678.tif 000008
【図７】
2005039678.tif 000009
【図８】
2005039678.tif 000010
【図９】
2005039678.tif 000011
【図１０】
2005039678.tif 000012
【図１１】
2005039678.tif 000013
【図１２】
2005039678.tif 000014
【図１３】
2005039678.tif 000015
【図１４】
2005039678.tif 000016
【図１５】
2005039678.tif 000017